(57)【特許請求の範囲】
【請求項１】
目地部を介して建てられた左右の建物の天井躯体にそれぞれ吊り下げ具を用いて取付けられた、左右の天井仕上材の目地部側端部に設けられた下部が目地部側に突出するような傾斜面の左右のガイド部材と、この左右のガイド部材間の目地部を覆う目地天井仕上材と、前記左右の建物の目地部側の天井躯体に固定された左右の支持バー、この左右の支持バーに所定間隔離間され左右方向にスライド移動可能に支持され、中央部に前記目地天井仕上材を吊り下げる吊り下げアームを有する少なくとも２個以上の吊り下げバー、およびこの少なくとも２個以上の吊り下げバーにそれぞれ形成された前記左右の建物間の目地部が地震等によって狭くなるように揺れ動いた場合には、前記目地天井仕上材の両端部が前記左右のガイド部材によって押し圧されることなく、前記左右の支持バーによって上方へスライド移動される、ほぼ逆台形状の下部を除く輪郭形状の目地天井仕上材押し上げ部とからなる目地天井仕上材支持機構とを備えることを特徴とする天井用目地装置。
【請求項２】
目地部を介して建てられた左右の建物の天井躯体にそれぞれ吊り下げ具を用いて取付けられた、左右の天井仕上材の目地部側端部に設けられた下部が目地部側に突出するような傾斜面の左右のガイド部材と、この左右のガイド部材間の目地部を覆う前後方向にスライド移動可能な１枚、あるいは並列する２枚の天井仕上材と、前記左右の建物の目地部側の天井躯体に固定された左右の支持バー、この左右の支持バーに所定間隔離間され左右方向にスライド移動可能に支持され、中央部寄りの部位に前記目地天井仕上材を前後方向にスライド移動可能に吊り下げるスライド吊り下げ具を有する少なくとも２個以上の吊り下げバーおよびこの少なくとも２個以上の吊り下げバーにそれぞれ形成された前記左右の建物間の目地部が地震等によって狭くなるように揺れ動いた場合には、前記目地天井仕上材の両端部が前記左右のガイド部材によって押し圧されることなく、前記左右の支持バーによって上方へスライド移動される、ほぼ台形状の下部を除く輪郭形状の目地天井仕上材押し上げ部とからなる目地天井仕上材支持機構とを備えることを特徴とする天井用目地装置。
【請求項３】
目地部を介して建てられた左右の建物の一方の建物の天井躯体に吊り下げ具を用いて取付けられた、一方の天井仕上材の目地部側端部に設けられた下部が目地部に突出するような傾斜面の一方のガイド部材と、この一方のガイド部材と前記他方の建物の外壁躯体との間の目地部を覆う目地天井仕上材と、前記一方の建物の目地部側の天井躯体に固定された支持バー、この支持バーに所定間隔離間され、左右方向にスライド移動可能に支持され、先端部寄りの部位に前記目地天井仕上材を吊り下げる吊り下げアームを有する少なくとも２個以上の吊り下げバー、この吊り下げバーの先端部をほぼ水平状態となるように前記他方の建物の外壁躯体に取付けるワイヤー、ロープ等の紐、および前記少なくとも２個以上の吊り下げバーにそれぞれ形成された、前記左右の建物間の目地部が地震等によって狭くなるように揺れ動いた場合には、前記目地天井仕上材の前記ガイド部材によって押し圧されることなく、前記支持バーによって上方へスライド移動される折り曲げ部が傾斜面のクランク状の目地天井仕上材押し上げ部とからなる目地天井仕上材支持機構とを備えることを特徴とする天井用目地装置。
【発明の詳細な説明】
【０００１】
【発明の属する技術分野】
本発明は目地部を介して建てられた左右の建物の天井目地部間、あるいは一方の建物の天井目地部と他方の建物の外壁躯体との間の目地部を覆う天井用目地装置に関する。
【０００２】
【従来の技術】
従来、この種の天井用目地装置は左右の天井仕上材の目地部側端部に下部が目地部側に突出するような傾斜面の左右のガイド部材と、この左右のガイド部材間の目地部を覆う逆台形状の目地天井仕上材と、この目地天井仕上材を上下移動可能に左右の目地部側の天井躯体に支持させる天井仕上材支持機構とで構成されている。
【０００３】
【発明が解決しようとする課題】
従来の天井用目地装置は、地震等によって目地部が狭くなると、目地天井仕上材の傾斜面の両端部が左右のガイド部材の傾斜面に沿って上方へスライド移動され、該左右のガイド部材上に目地天井仕上材が乗り上がるため、目地天井仕上材の仕上面である下面に左右のガイド部材上をスライド移動時にスリ傷がつき、見苦しくなるという欠点があった。
また、左右のガイド部材の押し圧力により目地天井仕上材を上方へスライド移動させるため、左右の天井仕上材や目地天井仕上材として剛性を有するものを使用しなければならず、コスト高になるという欠点があった。
【０００４】
本発明は以上のような従来の欠点に鑑み、目地天井仕上材が上方へ移動しても仕上面である下面にスリ傷がついたりすることなく、また、特に天井仕上材や目地天井仕上材に剛性を付与しなくても損傷することなく、目地部が狭くなる揺れ動きには、天井目地仕上材をスムーズに移動させることができる天井用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介して建てられた左右の建物の天井躯体にそれぞれ吊り下げ具を用いて取付けられた、左右の天井仕上材の目地部側端部に設けられた下部が目地部側に突出するような傾斜面の左右のガイド部材と、この左右のガイド部材間の目地部を覆う目地天井仕上材と、前記左右の建物の目地部側の天井躯体に固定された左右の支持バー、この左右の支持バーに所定間隔離間され左右方向にスライド移動可能に支持され、中央部に前記目地天井仕上材を吊り下げる吊り下げアームを有する少なくとも２個以上の吊り下げバー、およびこの少なくとも２個以上の吊り下げバーにそれぞれ形成された前記左右の建物間の目地部が地震等によって狭くなるように揺れ動いた場合には、前記目地天井仕上材の両端部が前記左右のガイド部材によって押し圧されることなく、前記左右の支持バーによって上方へスライド移動される、ほぼ逆台形状の下部を除く輪郭形状の目地天井仕上材押し上げ部とからなる目地天井仕上材支持機構とで天井用目地装置を構成している。
【０００７】
【発明の実施の形態】
以下、図面に示す実施の形態により、本発明を詳細に説明する。
【０００８】
図１ないし図８に示す本発明の第１の実施の形態において、１は目地部２を介して建てられた左右の建物３、３の、天井躯体３ａ、３ａにそれぞれ吊り下げ具４、４を用いて取付けられた左右の天井仕上材５、５間の目地部２Ａを覆う本発明の天井用目地装置で、この天井用目地装置１は前記左右の天井仕上材５、５の目地部側端部に設けられた、下部が目地部側に突出するような傾斜面６ａ、６ａの左右のガイド部材６、６と、この左右のガイド部材６、６間の目地部２Ａを覆う目地天井仕上材７と、この目地天井仕上材７を吊り下げ状態で支持し、地震等によって目地部２が狭くなるように揺れ動いた場合には、前記左右のガイド部材６、６によって押し圧されることなく上方へスライド移動させる目地天井仕上材支持機構８とで構成されている。
【０００９】
前記左右のガイド部材６、６は図４に示すように板状の支持プレート９と、この支持プレート９のほぼ中央部より、ほぼ４５゜の傾斜面６ａで上方へ突出するガイドプレート１０とで構成されている。
【００１０】
前記目地天井仕上材７は図５に示すように板状の目地天井仕上材本体１１と、この目地天井仕上材本体１１の上面に固定された支持フレーム１２とで構成されている。
【００１１】
前記目地天井仕上材支持機構８は図６に示すように、前記左右の建物の３、３の目地部側の天井躯体３ａ、３ａに複数本のビス１３等によって固定された両端部がＬ字状に折り曲げられた左右の支持バー１４、１４と、この左右の支持バー１４、１４に所定間隔離間された左右方向にスライド移動可能に支持された、少なくとも２個以上の両端部にストッパー１５、１５を有する吊り下げバー１６、１６と、この吊り下げバー１６、１６のほぼ中央部に溶接等によって吊り下げられた下端部に、前記目地天井仕上材７の支持フレーム１２の中央部が溶接等によって固定される吊り下げアーム１７、１７と、前記少なくとも２個以上の吊り下げバー１６、１６にそれぞれ形成された前記左右の建物３、３間の目地部２が地震等によって狭くなるように揺れ動いた場合には、前記目地天井仕上材７の両端部が前記左右のガイド部材６、６によって押し圧されることなく、前記左右の支持バー１４、１４によって上方へスライド移動される、ほぼ逆台形状の下部を除く輪郭形状の目地天井仕上材押し上げ部１８、１８とで構成されている。
【００１２】
上記構成の天井用目地装置１は、通常時は図１および図２に示すように、左右の天井仕上材５、５間の目地部２Ａを目地天井仕上材７で覆われた状態になっている。
【００１３】
地震等によって左右の建物３、３間の目地部２が広くなるように揺れ動いた場合には、図７に示すように左右の建物の３、３が左右方向に離れるように移動する。この左右方向に離れる移動によって、目地天井仕上材支持機構８の吊り下げバー１６、１６は、左右の支持バー１４、１４上をスライド移動し、天井仕上材５、５間に目地天井仕上材７が位置する状態を保つ。
【００１４】
目地部２が狭くなるように揺れ動いた場合には、図８に示すように左右の建物３、３が左右方向に近付くように移動する。この左右方向に近付く移動によって、目地天井仕上材支持機構８の吊り下げバー１６、１６の目地天井仕上材押し上げ部１８、１８は、左右の支持バー１４、１４上をスライド移動し、左右のガイド部材６、６によって目地天井仕上材７が押し圧されることなく上方へスライド移動し、最上方へ移動したところで目地天井仕上材７の下端部が左右のガイド部材６、６の上部と当接しない場所に位置される。
【００１５】
【発明の異なる実施の形態】
次に、図９ないし図１７に示す本発明の異なる実施の形態につき説明する。なお、これらの本発明の異なる実施の形態の説明に当って、前記本発明の第１の実施の形態と同一構成部分には同一符号を付して重複する説明を省略する。
【００１６】
図９ないし図１１に示す本発明の第２の実施の形態において、前記本発明の第１の実施の形態と主に異なる点は、両端部が上方へ突出して吊り下げバー１６の両端部に溶接や複数本のビス等によって固定される取付けバー１９、この取付けバー１９のほぼ中央部を吊り下げバー１６のほぼ中央部に固定する固定アーム２０、前記取付けバー１９のほぼ中央部に目地天井仕上材７を吊り下げる取付けアーム２１とからなる吊り下げアーム１７Ａとを用いた目地天井仕上材支持機構８Ａを用いた点で、このように構成された目地天井仕上材支持機構８Ａを用いて構成した天井用目地装置１Ａにしても、前記本発明の第１の実施の形態と同様な作用効果が得られる。
【００１７】
図１２ないし図１４に示す本発明の第３の実施の形態において、前記本発明の第１の実施の形態と主に異なる点は、２枚の目地天井仕上材７Ａ、７Ａで左右のガイド部材６、６間の目地部２Ａを覆うとともに、取付けバー１９、１９に前後方向にスライド移動可能なスライド吊り下げ具２２、２２で２枚の目地天井仕上材７Ａ、７Ａを前後方向にスライド移動可能に取付けた目地天井仕上材支持機構８Ｂを用いた点で、このような目地天井仕上材支持機構８Ｂを用いて構成した天井用目地装置１Ｂにしても、前記本発明の第１の実施の形態と同様な作用効果が得られるとともに、２枚の目地天井仕上材７Ａ、７Ａが前後方向にスライド移動して、前後方向の揺れ動きを吸収することができる。
【００１８】
図１５ないし図１７に示す本発明の第４の実施の形態において、前記本発明の第２の実施の形態と主に異なる点は、一方の建物３の天井仕上材５に設けたガイド部材６と他方の建物３の外壁躯体３ｂ間の目地部２を覆えるように、折り曲げ部２３、２４が傾斜面のクランク状の目地天井仕上材押し上げ部１８Ａが形成された吊り下げバー１６Ａと、この吊り下げバー１６Ａの先端部をほぼ水平状態となるように他方の建物３の外壁躯体３ｂに取付けられたワイヤー、ロープ等の紐２５と、前記目地天井仕上材５の他端部をスライド移動可能に支持する他方の建物３の外壁躯体３ｂに固定された断面コ字状のガイドレール２６を備える目地天井仕上材支持機構８Ｃを用いた点で、このような目地天井仕上材支持機構８Ｃを用いて構成した天井用目地装置１Ｃにしても、前記本発明の第２の実施の形態と同様な作用効果が得られる。
【００１９】
【発明の効果】
以上の説明から明らかなように、本発明にあっては次に列挙する効果が得られる。
【００２０】
（１）目地部を介して建てられた左右の建物の天井躯体にそれぞれ吊り下げ具を用いて取付けられた、左右の天井仕上材の目地部側端部に設けられた下部が目地部側に突出するような傾斜面の左右のガイド部材と、この左右のガイド部材間の目地部を覆う目地天井仕上材と、前記左右の建物の目地部側の天井躯体に固定された左右の支持バー、この左右の支持バーに所定間隔離間され左右方向にスライド移動可能に支持され、中央部に前記目地天井仕上材を吊り下げる吊り下げアームを有する少なくとも２個以上の吊り下げバー、およびこの少なくとも２個以上の吊り下げバーにそれぞれ形成された前記左右の建物間の目地部が地震等によって狭くなるように揺れ動いた場合には、前記目地天井仕上材の両端部が前記左右のガイド部材によって押し圧されることなく、前記左右の支持バーによって上方へスライド移動される、ほぼ逆台形状の下部を除く輪郭形状の目地天井仕上材押し上げ部とからなる目地天井仕上材支持機構とで構成されているので、地震等によって目地部が狭くなるように揺れ動いた場合には、左右のガイド部材によって目地天井仕上材が押し圧されることなく、目地天井仕上材支持機構の吊り下げバーの目地天井仕上材押し上げ部と左右の支持バーとによって上方へのスライド移動により目地天井仕上材を上方へ移動させることができる。
したがって、目地天井仕上材や左右の天井仕上材に剛性を付与しなくても、従来から使用されている天井仕上材や吊り下げ具を使用することができ、コストの低減を図ることができる。
【００２１】
（２）前記（１）によって、目地天井仕上材を上方へ移動させる時に、目地天井仕上材を左右のガイド部材に接触することなく移動できるように設定することができる。
したがって、目地天井仕上材が上方へ移動しても、従来のように下面の仕上面にスライド移動のスリ傷がついたりするのを確実に防止できる。
【００２２】
（３）前記（１）によって、構造が簡単であるので、容易に設置することができる。
【００２３】
（４）請求項２、３も前記（１）〜（３）と同様な効果が得られる。
【図面の簡単な説明】
【図１】本発明の第１の実施の形態の底面図。
【図２】図１の２−２線に沿う拡大断面図。
【図３】図１の３−３線に沿う断面図。
【図４】本発明の第１の実施の形態のガイド部材の説明図。
【図５】本発明の第１の実施の形態の目地天井仕上材の説明図。
【図６】本発明の第１の実施の形態の目地天井仕上材支持機構の説明図。
【図７】本発明の第１の実施の形態の目地部が広くなった動作説明図。
【図８】本発明の第１の実施の形態の目地部が狭くなった動作説明図。
【図９】本発明の第２の実施の形態の底面図。
【図１０】図９の１０−１０線に沿う拡大断面図。
【図１１】本発明の第２の実施の形態の目地天井仕上材支持機構の説明図。
【図１２】本発明の第３の実施の形態の底面図。
【図１３】図１２の１３−１３線に沿う拡大断面図。
【図１４】本発明の第３の実施の形態の目地天井仕上材支持機構の説明図。
【図１５】本発明の第４の実施の形態の底面図。
【図１６】図１５の１６−１６線に沿う拡大断面図。
【図１７】本発明の第４の実施の形態の目地天井仕上材支持機構の説明図。
【符号の説明】
１、１Ａ、１Ｂ、１Ｃ：天井用目地装置、
２、２Ａ：目地部、      ３：建物、
４：吊り下げ具、        ５：天井仕上材、
６：ガイド部材、        ７、７Ａ：目地天井仕上材、
８、８Ａ、８Ｂ、８Ｃ：目地天井仕上材支持機構、
９：支持プレート、      １０：ガイドプレート、
１１：目地天井仕上材本体、
１２：支持フレーム、    １３：ビス、
１４：支持バー、        １５：ストッパー、
１６、１６Ａ：吊り下げバー、
１７、１７Ａ：吊り下げアーム、
１８、１８Ａ：目地天井仕上材押し上げ部、
１９：取付けバー、      ２０：固定アーム、
２１：取付けアーム、    ２２：スライド吊り下げ具、
２３、２４：折り曲げ部、２５：紐、
２６：ガイドレール。
【図１】
0003611536.tif 000002
【図２】
0003611536.tif 000003
【図３】
0003611536.tif 000004
【図４】
0003611536.tif 000005
【図５】
0003611536.tif 000006
【図６】
0003611536.tif 000007
【図７】
0003611536.tif 000008
【図８】
0003611536.tif 000009
【図９】
0003611536.tif 000010
【図１０】
0003611536.tif 000011
【図１１】
0003611536.tif 000012
【図１２】
0003611536.tif 000013
【図１３】
0003611536.tif 000014
【図１４】
0003611536.tif 000015
【図１５】
0003611536.tif 000016
【図１６】
0003611536.tif 000017
【図１７】
0003611536.tif 000018